(57)【要約】【目的】遊技領域の中に併設する第１種と第２種の遊技装置をそれぞれ独立に稼動するようにすると共に、該両装置を対等又は非対等に起動するようにする。【構成】遊技領域（３）の中段領域部分（３ｂ）には第１種の可変表示装置の画像表示部（５）と第２種の役物入賞装置（６）及び打球の通過域（１９）を横並びに配置する。上段領域部分（３ａ）と上記通過域の何れかに前記役物入賞装置（６）に打球取込み口（９）を開設し、上段領域部分（３ａ）、通過域（１９），下段領域部分（３ｃ）のいずれかに可変表示装置を起動し、前記役物入賞装置の取込み口（９）を開放する共通の始動入賞口（１３）を設置する。始動入賞口内部に備える振分け手段によって入賞球を振分け、前記可変表示装置（５）を起動する第１始動開始状態と前記役物入賞装置の取込み口（９）を開放する第２始動開始状態とを作り、前記それぞれの遊技装置を予め定める比率で駆動するようにする。【選択図】図１
2008246020.tif 000002
【特許請求の範囲】
【請求項１】
遊技盤面の遊技領域を上、中、下段の３領域部分に区分設定して、上段領域部分を打球の打込み領域とする一方、前記中段領域部分には可変表示装置の画像表示部と、内部に賞球の振分け手段及び特別入賞口と普通入賞口を備える役物入賞装置と、前記上段領域部分に打込まれる打球を前記下段領域部分に誘導する打球通過域とを横並びに配置し、また前記上段領域部分若しくは前記打球通過域のいずれかに前記役物入賞装置に打球を取込む取込み口を開設し、また前記下段領域部分には前記可変表示装置の抽選結果に連動して開放する大入賞口を配置し、その一方、前記上段領域部分、打球通過域若しくは下段領域部分のいずれかに始動入賞口を設置し、該始動入賞口の内部に入賞球を第１始動開始状態と第２始動開始状態とに振分ける振分け手段を内蔵せしめ、常には前記上段領域部分に打込まれる打球の全部若しくは一部を前記中段領域部分に形成する前記打球通過域を通して前記下段領域部分に誘導可能にする一方、前記始動入賞口に入賞した入賞球が前記振分手段により第１始動開始状態を創出したとき、前記可変表示装置を起動して大当りの抽選を開始させ、また第２始動開始状態を創出したとき、前記取込み口を開放して前記役物入賞装置への打球の取込みを可能にし、これにより該役物入賞装置と前記可変表示装置に係る画像表示部とを前記遊技領域内にそれぞれ独立した状態で横並びに設置すると共に、該両装置を個別、且つ独立に稼動するようにしてなることを特徴としたパチンコ遊技機。
【請求項２】
請求項１に記載のパチンコ遊技機において、始動入賞口に内蔵される振分け手段は分岐点を通して２方向に分けられる分割通路から構成し、その一方の分割通路に可変表示装置を起動する第１始動開始状態とする入賞球の検出スイッチを、また他方の分割通路には取込み口を開放して第２始動開始状態にする入賞球の検出スイッチをそれぞれ臨ませてなることを特徴としたパチンコ遊技機。
【請求項３】
請求項２に記載のパチンコ遊技機において、分割通路の分岐点にはいずれか一方の分割通路への入賞球の流入を制限するシャッタ部材を設置し、該両分割通路への入賞球の流入を偏向制御してなることを特徴としたパチンコ遊技機。
【請求項４】
請求項３に記載のパチンコ遊技機において、シャッタ部材によって入賞球の流入が制限される分割通路は第１始動開始状態にする検出スイッチが設置される分割通路であることを特徴としたパチンコ遊技機。
【請求項５】
請求項１に記載のパチンコ遊技機において、始動入賞口に内蔵される振分け手段は切換え検出スイッチであって、入賞球の検出によって第１始動開始状態と第２始動開始状態とを切換え振分けることを特徴としたパチンコ遊技機。
【請求項６】
請求項５に記載のパチンコ遊技機において、切換え検出スイッチは第１始動開始状態と 第２始動開始状態とを交互に振分けることを特徴としたパチンコ遊技機。
【請求項７】
請求項５に記載のパチンコ遊技機において、切換え検出スイッチは第１始動開始状態と 第２始動開始状態のいずれかを他方より多く始動開始状態となるよう振分け、偏向させることを特徴としたパチンコ遊技機。
【発明の詳細な説明】
【技術分野】
【０００１】
本発明は、パチンコ遊技機に関する。
【背景技術】
【０００２】
パチンコ遊技機には遊技方式を異にする複数種類の遊技機がある。一般に第１種パチンコ遊技機、第２種パチンコ遊技機、或は更に略称して１種、２種等と呼ばれている遊技機がその例であり、近時市販されているパチンコ遊技機の多くがこれらの機種のいずれかに属している。
所謂第１種乃至単に１種と称されているパチンコ遊技機は、画像表示部を備えた可変表示装置と、打球を受け入れることによって上記可変表示装置を起動する始動入賞口と、多数の入賞球の受入れ賞球を容易にする大入賞口とを有し、前記始動入賞口に打球が入賞したとき予め設定する「大当り」の抽選を実行して、この抽選の結果に基づき色々の演出の画像を前記画像表示部に表示する。そして、抽選の結果「大当り」が抽選されたとき、前記大入賞口を開放して打球の入賞を図り、短時間に大量の賞球の放出が実行されるようにしてある。
【０００３】
一方、第２種或は２種、又は羽根物と称されるパチンコ遊技機の場合は、開閉する羽根を備える役物入賞装置（通常センター役物とも言われる。）を遊技盤の中央に据えて、始動入賞口に打球が入賞すると役物入賞装置に備える羽根（或は扉）を開放して入賞を可能乃至容易にする一方、装置の内部に備える特定入賞口、所謂Ｖゾーンと普通入賞口への入賞を可能にして、上記特定入賞口に入賞球が飛入したとき、再度の羽根の開放（継続）を促し、予め定めた回数或は時間、この開放状態を続けることで大量の入賞を可能にして多数の賞球の放出が行われるようにしてある。
【０００４】
これらのパチンコ遊技機において、第１種の遊技機は、画像表示部に表れる画像の変化を通して抽選の結果、つまり「当り」乃至「大当り」を表示する画像が出現するのを注視し、遊技を楽しむものとなっており、また第２種の遊技機においては役物入賞装置の羽根の開放と、この開放後において内部に備えられた特定入賞口と普通入賞口に振分ける装置を介して入賞球が誘導される過程を通して遊技を楽しむことができるものとなっている。
【０００５】
この様なことから、前者においては主に画像の変化を通して楽しむ構造であるのに対して、後者は機械的動作の変化、つまり入賞球の入賞の変化を楽しむものとなっており、遊技仕様の違いに併せて楽しみ方が異なるものとなっている。
しかし、この２種類のパチンコ遊技機は、それぞれ異なる特徴を有すると同時に、固有の魅力を有することから、この両者の特徴を備えた遊技機の開発が進められている。その成果として現在までに幾つかの提案がなされているが、例えば、特許文献１乃至３において提案される発明がその一例である。
【特許文献１】特開２０００−３３１４１号公報。
【特許文献２】特開２００６−３４６０５号公報。
【特許文献３】特開２００６−５１１００号公報。
【０００６】
上記特許文献１に記載の発明は、第１種のパチンコ遊技機と第２種のパチンコ遊技機とを一つに結合して両機種の特徴を融合したものになっている。更に言えば、第２種の役物入賞球装置に第１種の可変表示装置を組入れて可変表示装置付役物可変入賞球装置３２を構成したものとなっている。これを１つの遊技領域１１に備えて１つの共通始動口３７に入賞した打球を原因にして上記可変入賞球装置、そして可変表示装置と順次作動するようにして第１種及び第２種に係る両装置を次々と連動する構造としたものになっている。
【０００７】
一方、特許文献２に記載の発明は、遊技領域３１内に開閉部材７１を有するセンター役物６０、そして、その上部に可変表示装置３４を一体に組付け構成した装置を設置して共通の始動口となる始動入賞口２に打球が入賞すると、先ず前記可変表示装置３４を始動させ、抽選の結果「当り」となったとき、前記センター役物６０を開放するものとしたもので、両装置が次々と関連し、連動する関係をもつものとなっている。
この発明は始動入賞口２を共通にする点、そして可変表示装置３４とセンター役物６０が順次関連して作動する関係にある点で前記特許文献１の発明に共通するものとなっている。
【０００８】
また一方、特許文献３に記載の発明は、遊技領域１０に設置するセンター役物１００の内部に第１種の演出図柄表示装置１２を組入れ、始動入賞装置（口）１３に打球が入賞したときセンター役物１００の第２入賞装置１２０の開閉装置１３０を開放してセンター役物１００内部への打球の入賞を可能にし、ここから入賞した球を第２抽選手段１５０に送って特別入賞口１５６若しくは球排出口１５１に導く構成に係るものとなっており、第１種の図柄表示装置１２と第２種のセンター役物１００とを一つに組合せた構造のものとなっている。
【０００９】
これら特許文献１乃至３に記載の発明は、上述のとおり、第１種と第２種のパチンコ遊技機を結合した構造になっており、主として機械的なセンター役物と図柄を以て表示する画像表示装置のそれぞれの特徴を組合せ、一つの装置としており、実際の遊技仕様においても１個の入賞球の入賞を原因に次々に関連させてセンター役物と画像表示装置を作動させる構造になっている。
言うまでもなく、これらのセンター役物を主体とする第２種遊技機と、可変表示装置を主体とする第１種遊技機とを一つに結合し、それぞれの特徴を表現するパチンコ遊技機は２種類の遊技を楽しみ興趣を盛り上げる効果があることは各特許文献に挙げられている通りである。
【００１０】
しかし、この両装置を結合させ融合させた新たな機種は、第１種と第２種の特徴的部分が現れてはいるが、反面両機種の主要部を共用することによって、或は順序を付けて関連させ、互いを連動させることによって、それぞれの独自性が失われることになっている。また、これによってそれぞれの特徴が殺がれるものとなっているのである。つまり、第１種、第２種におけるそれぞれの機種が固有の機能として保有する特徴が殺がれて実質的には全く別の遊技機を作ることになっているのである。
更に言えば、これら既提案に係る各特許文献記載の発明は、第１種の可変表示装置と第２種の可変入賞球装置、即ちセンター役物という各機種における主要部分を一つに結合させて新種の表示手段としたパチンコ遊技機を作ったものであり、ここには第１種、第２種の遊技機が本来有している固有の特徴を放棄したものとなっているのである。
【発明の開示】
【発明が解決しようとする課題】
【００１１】
本発明は、前述した所謂第１種と称されるパチンコ遊技機と、第２種と称されるパチンコ遊技機の各遊技方式（仕様）全体を失うことなく、且つ相互に干渉することなく１つの遊技盤面（遊技領域）に取込み、それぞれの独立性を失うことなく作動できるようにしてそれぞれが保有する遊技の特徴をそのまゝ実現するようにしたパチンコ遊技機を提供することにある。
【００１２】
前述した特許文献記載の各発明は、第１種、第２種の遊技方式を同時に採用するに当って遊技盤の限られた遊技領域内にそれぞれの遊技方式を実現する諸装置を個別に組入れることの困難さから、両装置において共用できる部分を一本化し、その一方を省略し、更には両遊技機の最も特徴とする部分、つまり画像表示部とセンター役物等の可変入賞球装置とを一つに組合せて合体し、これによって遊技盤前面の限られた遊技領域内の設置空間への組入れを可能にしているのである。
【００１３】
しかし、かゝる従来方式は、前述したように両機種の特徴とする主要部の取込みを実現することにはなったが、両機種が有する個々の遊技仕様を、個別にそのまゝ１つの遊技盤面に再現するものとはなっておらず、それぞれの遊技の構成の一部を犠牲にして成り立たせた言わば新種の遊技機を創造するものとなっているのである。
言うまでもなく、元来、第１種にしても、また第２種にしても遊技設定は独立完結型であり、それぞれ遊技を個別に完結することによって各機種本来の遊技の醍醐味が味わえるものとなっている。
従って、第１種、第２種の遊技機の特徴を１台の遊技機に実現するためには、これらの機種における遊技を両者独立した状態で実現し、それぞれの特徴を発揮するものであることが求められることになる。
【００１４】
前記従来のもの（前記特許文献１乃至３に記載のパチンコ遊技機）において、この要請を妨げる第１の要因は、遊技盤上の遊技領域の面積にある。そして、第２の要因は一方の遊技が進行したとき、例えば第２種のセンター役物が特定入賞状態に入って打球を優先的にセンター役物内に取り入れる状態となったとき、他方の第１種遊技装置には打球が振り分けられずに実質的に休止状態になってしまうことにある。この中で、後者は２種類の遊技を実行可能にしながら一方が作動すると、他方が休止状態になってしまうことであり、実質的に２種類の遊技装置を設置するにも拘わらず、その意味を失うものになる。
【００１５】
従って、本発明は上記従来の遊技機の問題点に鑑み、遊技領域の限られた空間内に第１種の主要構成要素となる可変表示装置の画像表示器と大入賞口、更に第２種の可変入賞球装置、つまり開閉する扉手段、入賞球の振分け手段及び特定入賞口、普通入賞口等を備えるセンター役物とを左右に並立的に配置すると共に、前記可変表示装置の大当り抽選の結果により開放する大入賞口と、前記可変表示装置を起動させ、また前記センター役物の打球取込み口を開放操作する１つの始動入賞口を設置してなるパチンコ遊技機を提供しようとするものである。
【００１６】
従って、本発明は、上述のように１つの遊技領域内に第１種と第２種の遊技機の遊技仕様を実現する遊技装置を設備するものであって、それぞれの機種における特徴を１台のパチンコ遊技機において実現し、楽しめるようにした遊技機を提供しようとするものであり、個々の遊技仕様を独立した状態に保ち、他方に影響されることなく自己完結的に遊技を実行し、これを楽しむことができるようにしたパチンコ遊技機を提供するものである。
【００１７】
また、本発明は上記パチンコ遊技機において、前記第１種及び第２種の遊技装置をそれぞれ始動する始動入賞口を１つにしてその内部に振分け手段を配置し、この振分けによって前記第１種、第２種の遊技装置を個別に起動し、両装置の独立性を確保するようにしたパチンコ遊技機を提供しようとするものである。
【課題を解決するための手段】
【００１８】
本発明は、上述の目的を達成するため、遊技盤前面の遊技領域内を上、中、下段の３段に区分設定し、その中央に位置する中段領域部分に第１種遊技機における可変表示装置の画像表示部と、第２種遊技機における可変入賞球装置たるセンター役物と、更に上段領域部分に打出される打球を下段領域部分に誘導する打球通過領域とを横並びに配置形成したことにある。
【００１９】
そして、前記上段領域部分には振分け障害物を設置し、打込まれる打球を振分ける構造にする一方、該上段領域部分乃至前記中段領域部分から下段領域部分のいずれかの位置に前記可変表示装置並びにセンター役物を始動する共通の始動入賞口を設置し、更に下段領域部分には前記可変表示装置による大当り表示に伴わせて開放する大入賞口を設置して前記上段領域部分、そして中段領域部分に形成する通過領域を通して案内される打球をそれぞれに対して常に入賞可能な状態にしたことにある。
【００２０】
更に、本発明は前記始動入賞口には内部に入賞球を振分け、前記第１種の遊技装置、つまり可変表示装置を起動する第１始動開始状態と、前記第２種の遊技装置たる役物入賞装置の取込み口を開放する第２始動開始状態とに振分ける振分け手段を内蔵して１つの始動入賞口に入賞する入賞球を振分けることによって第１種及び第２種の２つの遊技装置を個別に、且つ独立して始動できるようにしたパチンコ遊技機を提供することにある。
【００２１】
本発明を更に詳述すると、遊技盤面の遊技領域を上、中、下段の３領域部分に区分設定して、上段領域部分を打球の打込み領域とする一方、前記中段領域部分には可変表示装置の画像表示部と、内部に賞球の振分け手段及び特別入賞口と普通入賞口を備える役物入賞装置と、前記上段領域部分に打込まれる打球を前記下段領域部分に誘導する打球通過域とを横並びに配置し、また前記上段領域部分若しくは前記打球通過域のいずれかに前記役物入賞装置に打球を取込む取込み口を開設し、また前記下段領域部分には前記可変表示装置の抽選結果に連動して開放する大入賞口を配置し、その一方、前記上段領域部分、打球通過領域若しくは下段領域部分のいずれかに始動入賞口を設置し、該始動入賞口の内部に入賞球を第１始動開始状態と第２始動開始状態とに振分ける振分け手段を内蔵せしめ、常には前記上段領域部分に打込まれる打球の全部若しくは一部を前記中段領域部分に形成する前記打球通過域を通して前記下段領域部分に誘導可能にする一方、前記始動入賞口に入賞した入賞球が前記振分手段により第１始動開始状態を創出したとき、前記可変表示装置を起動して大当りの抽選を開始させ、また第２始動開始状態を創出したとき、前記取込み口を開放して前記役物入賞装置への打球の取込みを可能にし、これにより該役物入賞装置と前記可変表示装置に係る画像表示部とを前記遊技領域内にそれぞれ独立した状態で横並びに設置すると共に、該両装置を個別、且つ独立に稼動するようにしてなることを特徴としたパチンコ遊技機を提供することにある。
【００２２】
また本発明は、上記のパチンコ遊技機において、前記始動入賞口に内蔵される振分け手段は分岐点を通して２方向に分けられる分割通路から構成し、その一方の分割通路に可変表示装置を起動する第１始動開始状態とする入賞球の検出スイッチを、また他方の分割通路には取込み口を開放して第２始動開始状態にする入賞球の検出スイッチをそれぞれ臨ませてなることを特徴としたパチンコ遊技機を提供することにある。
【００２３】
また本発明は、上記記載のパチンコ遊技機において、前記分割通路の分岐点にはいずれか一方の分割通路への入賞球の流入を制限するシャッタ部材を設置し、該両分割通路への入賞球の流入を偏向制御してなることを特徴としたパチンコ遊技機を提供することにある。
【００２４】
また本発明は、上記記載のパチンコ遊技機において、前記割通路の分岐点にはいずれか一方の分割通路への入賞球の流入を制限するシャッタ部材を設置し、該両分割通路への入賞球の流入を偏向させてなることを特徴としたパチンコ遊技機を提供することにある。
【００２５】
また本発明は、前記パチンコ遊技機において、前記始動入賞口に内蔵される振分け手段は切換え検出スイッチであって、入賞球の検出によって第１始動開始状態と第２始動開始状態とを切換え振分けることを特徴としたパチンコ遊技機を提供することにある。
【００２６】
また本発明は、上記記載のパチンコ遊技機において、前記切換え検出スイッチは第１始動開始状態と第２始動開始状態とを交互に振分けることを特徴としたパチンコ遊技機を提供することにある。
【００２７】
また本発明は、前記パチンコ遊技機において、前記切換え検出スイッチは第１始動開始状態と第２始動開始状態のいずれかを他方より多く始動開始状態となるよう振分け、偏向させることを特徴としたパチンコ遊技機を提供することにある。
【００２８】
ところで、上記する本発明に係るパチンコ遊技機における前記遊技盤前面の遊技領域内に区分設定される上、中、下段の各領域部分は、遊技領域内を上下方向に３分割することで区分けされる。この区分けは均等である必要はなく縦に略３つの領域に分けられるものであればよい。  
この様に区分される領域内にあって中段に位置し、最も遊技者の視線の中心に位置する中段領域部分に第１種のパチンコ遊技機を象徴する可変表示装置の画像表示部と、第２種のパチンコ遊技機を象徴する役物入賞装置、つまりセンター役物とが左右に配置され、更に上下段の両領域部分を連絡し、打球の落下を誘導する打球通過域が配置されてこれらが横一列に並ぶことになる。
【００２９】
上記画像表示部は、始動入賞口に打球が入賞し、予め設定する「当り」の抽選が実行され、その確定した抽選の結果に応じて、これを画像に、更に言えば動画を通して画像表示するものである。またセンター役物は、同様に打球が始動入賞口に入賞して取込み口が開放することによって役物内部に打球の入賞が可能となるもので、このセンター役物は、ここに入賞した球が次に特別入賞口に入り、再度の取込み口の開放を約束する継続状態となるか、普通入賞口に入って通常の入賞球となるかを入賞球の動きを通して直接的に表示するものとなる。
本発明では、これら２つの表示媒体を通して２種類の遊技仕様を別々に表示するものであり、これを一点を見詰める視界の中で、つまり遊技領域内を３分割した中の一つである中段領域部分の中で視認することを可能にするものである。
【００３０】
一方、前記遊技領域における上段領域部分は、発射装置によって打出される打球が飛び込む領域であり、この領域部分には発射装置から発射され誘導レールを通して打出される打球を振り分けるための障害釘等からなる障害物が設置される。
【００３１】
また、遊技領域の下段領域部分には後述する始動入賞口に打球が入賞し、前記可変表示装置が起動して抽選の結果「大当り状態」となったとき開放する大入賞口、所謂アタッカーが設置される。
【００３２】
前記打球の取込み口は、役物入賞装置に打球を引込む入口であって、ここには開閉する取込み扉が備えられる。この取込み口は上段領域部分に開設される場合と、中段領域部分の打球通過域に向けて開設される場合とがある。
この開設位置の相違は、遊技仕様を異にする設計的意図によって選択される。上段領域部分に開設する場合は、遊技者の狙い打ちに合せて開設するものとなり、また打球通過域に開設する場合は、遊技領域に打出された全ての打球が集中する所に設けることで打球の入賞を積極的に進めるものとなる。そして、後者の場合は更にこの取込み口に対する入賞状態を画像表示部、役物入賞装置と共に一つの視界の中に置くことになり、これによって遊技者に打球の入賞時の醍醐味を実感させることになる。
【００３３】
一方、前記取込み扉は、役物入賞装置に連動する前記始動入賞口がこれに入賞する入賞球の振分けによって第２始動開始状態となったとき開放するもので、上段領域部分若しくは打球通過域を落下する打球を積極的に取込むことになる。  
そして、上記役物入賞装置は内部に振分け手段を備え、これによって前記取込み口からの入賞球を振分けて前記特別入賞口と普通入賞口とのいずれかに誘導し、それぞれに入賞させることになる。
上記特別入賞口は、所謂Ｖゾーンと称される大当り発生入賞口であり、継続入賞口に当るものである。この特別入賞口に飛入球が入賞すると、上記打球取込み口を再開放させることになり、遊技者にとって有利な状態を作ることになる。
【００３４】
さて、前記始動入賞口は遊技領域の打球が通過するいずれかの位置に設置されることになるが、この始動入賞口の内部には入賞球を振分けて第１始動開始状態と第２始動開始状態とを作る振分け手段が設けられる。
上記第１始動開始状態は、前記可変表示装置の当り抽選の開始を促すもので、始動入賞口に入賞した入賞球によってこの第１始動開始状態となると、可変表示装置において予め設定する抽選が実行されることになる。そして、この抽選の過程と結果が画像表示部に表示されることになる。抽選の結果「大当り状態」となると、前記大入賞口が開放し、打球の受入れを開始することになる。
【００３５】
一方、第２始動開始状態は前記役物入賞装置への打球の取込みの開始を実行するものであり、実際には取込み口を閉ざす扉を開放することになる。始動入賞口に入賞した球が振分け手段によって第２始動開始状態を作ると、役物入賞装置の取込み口が開放し、打球の取込みを開始することになる。そして、取込まれた入賞球は前述したように振分け手段によって特別入賞口若しくは普通入賞口に振分けられそれぞれの結果を出すことになる。
【００３６】
この始動入賞口は、前記打球の取込み口の設置位置より下方、つまり下流側に設置されることになる。従って、取込み口が上段領域部分に設置される場合は、この上段領域部分を含む下流側の何れかに、そして、この取込み口が打球通過域に設置される場合は、この通過域を含む下流側の何れかに設置されることになる。
この設置位置の特定は、取込み口が開放したとき、つまり役物入賞装置が大当り状態になったとき、打球の取込みを優先させ、役物入賞装置の可動状態を止めることなく実行させることにある。
【００３７】
尚、この設置位置において取込み口を打球通過域に設置する場合は、この口の開放によって通過域を流下する打球の全てを取込むことがないようにすることが望まれる。ことに取込み口に扉を備え、打球の取込みを確実にした場合、この扉によって始動入賞口乃至大入賞口への入賞が閉ざされることになると、可変表示装置、つまり第１種遊技装置側の遊技が一時的に中断することになるからである。
【００３８】
ところで、前記始動入賞口の内部に設置する入賞球の振分け手段については、分岐点を基点に二股に分割する分割通路とする機械的な振分けの場合と、切換え検出スイッチによる電気的な振分け方法とがある。そのいずれの場合も本発明を有効に実施することができる。
上記二股の分割通路によって振分ける場合は、分岐点によって入賞球を任意に振分けることになる。第１種遊技（装置）と第２種遊技（装置）とは前述したように遊技様式を異にすることから、例えば入賞の割合、つまり賞球の放出割合等が異なることから両装置の稼動状態をバランスさせる上で、或はいずれかの遊技装置を優位に稼動させるために、この振分け手段を制御可能なものにすることが望まれる。
【００３９】
前記シャッタ部材は、上記分割通路によって振分ける機械的手段を採用したときの振分け制御手段である。また、切換え検出スイッチにより第１始動開始状態と第２始動開始状態に振分ける電気的な振分け手段は、この２つの態様の振分けと共に、検出数をカウントすることによって第１，第２の始動開始状態に振分ける割合を制御することができるものとなる。          
【００４０】
次に、上記の如く構成に係る本発明のパチンコ遊技機について、更に遊技領域内に打出される打球の流れを通して説明すると、先ず打球発射装置により打出される打球は、上段領域部分に打出され、釘等の障害物によって方向を変えられながらこの上段領域部分を通過し、次の中段領域部分の打球通過域に集められるようにしてこの空間を通過することになる。そして、この打球は通過域を通過した後、下段領域部分を通り、遊技領域下端のアウト口に向けて流下する経路を辿ることになる。
【００４１】
この中で、役物入賞装置の取込み口が上段領域部分に開設される場合は、この取込み口が開放状態にあるとき、この口に受けられた打球は役物入賞装置に取込まれ、装置の内部において振分け手段を通して特別入賞口か普通入賞口のいずれかに導かれ、入賞することになる。
また、前記取込み口を中段領域部分の打球通過域に開設した場合は、この取込み口が開放するとき、前記同様にこの取込み口に受けられ、前記役物入賞装置に送り込まれ、振分けられたのち、特別若しくは普通のいずれかの入賞口に振分け入賞することになる。
そして、上記設定される何れかの場合の取込み口に対しても入賞しなかった打球は、上段領域部分から下段領域部分に向けて落下誘導され、この間に配置される始動入賞口、若しくは大入賞口に入賞する機会が与えられることになる。
【００４２】
前述したように、上記始動入賞口は、前記取込み口の下流側に設けられることを条件に上、中、下段の何れかの領域部分に設置され、これに打球が入賞し、内部の振分け手段によって第１始動開始状態となったとき、前記可変表示装置が起動し、予め設定する抽選が開始することになる。そして、その結果が画像表示部に表示されることになり、ここで大当りの結果が出たとき、大入賞口が開放し、落下する打球の受け入れが実行されることになる。
その一方、第２始動開始状態となったときには、前記取込み口が開放し、前記役物入賞装置への打球の取込みが開始されることになる。
【００４３】
尚、前記取込み口は、常には例えば開閉する扉により閉塞した状態におかれることになる。従って、通常の状態においては上段領域部分に打出された打球は、そのまゝ上段領域部分から打球通過域を通して下段領域部分に誘導されることになり、この間はもとより常時始動入賞口には入賞する機会が与えられることになる。そして、この始動入賞口は、打球の落下流域内に位置するよう配置して入賞の機会に恵まれるようにされる。
【００４４】
上記始動入賞口に打球が入賞し、振分け手段によって第２始動開始状態になると、これを検出スイッチが検出して前記役物入賞装置に打球を取入れる取入れ口を開放することになる。
上記取込み口の開放は、一定時間継続され、この間に打球を受け入れ、受け入れた入賞球の全てを役物入賞装置（センター役物）に誘導することになる。
【００４５】
上記役物入賞装置に誘導された入賞球は、前記内部に設置する振分手段によって振分けが実行され、特別入賞口か普通入賞口のいずれかに誘導され、あるものが入賞することになる。
特別入賞口は一般にセンター役物として知られる入賞装置における継続入賞口、つまりＶゾーンに当るものであり、この入賞口に入賞球が入賞すると、一旦閉じられた前記取込み口が再び開放することになる。この状態は予め定める回数繰り返されることになる。尚、特別入賞口への連続的な入賞は、特定の個数に達するまで保留してもよく、保留した個数分について取込み口の開放回数を増加させるようにしてもよい。
【００４６】
この様にして役物入賞装置が作動し、「大当り状態」となる一方で、前記取込み口に飛入しなかった打球は、上段領域部分から中段領域部分の打球通過域を通してそのまゝ下段領域部分に誘導されることになり、この間に始動入賞口に入賞しなかった打球は下段のアウト口を通して系外に放出されることになる。
【００４７】
尚、始動入賞口に入賞した球が振分けによって前記第１始動開始状態を作ったとき、可変表示装置は遊技制御回路中に設置する大当り抽選回路を起動し、当り抽選が実行されることになる。同時に、この抽選に連動して画像表示部に抽選の結果に基づく演出が画像表現され、更にこの抽選の結果「大当り」の抽選があると、この結果を大当り表現として画像表示部に表示して遊技者に告知することになる。また同時に、上記「大当り」に対応させて下段領域部分に設置する前記大入賞口を開放し、前記打球通過域を通して落下する打球を受入れ、短時間に多量の入賞球の受入れと同時に多数の賞球の放出を実行することになる。
【発明の効果】
【００４８】
以上説明のように、本発明パチンコ遊技機によれば、一台のパチンコ遊技機に２つの機種、つまり第１種の遊技装置と第２種の遊技装置が並立的に設置されることになり、しかも１つの遊技領域内に可変表示装置の画像表示部と役物入賞装置とが共に独立した状態で横並びに設置されることになることから、一台の遊技機において二台分の遊技を同時に楽しむことができることになる。
また上述のように画像表示部と役物入賞装置が遊技領域の中段領域部分に左右揃って設置されることから、両者を等しく視認することができると共に、横位置に並ぶことによって遊技者は視点を大きく動かすことなくこれらを確認することができ、従って疲労することが少なく遊技を楽しむことができる。
【００４９】
また本発明においては、上記両遊技装置が個別に駆動する関係に置かれていることから、例えば一方の遊技装置において大当り状態に入ったとき、他方の遊技に集中することもできるので、更に変化を期待することができることになる。
しかも、本発明においては、一方の遊技装置、例えば可変表示装置が抽選状態に入った場合、或は大当り状態が発生して大入賞口が開放した場合でも上段領域部分に打出される打球は中段の打球通過域を通して下段領域部分に向けて常に通路が確保されることから次の遊技に向けて継続した状態に置くことができ、他方の遊技装置が中断されることがない利点を有する。
【００５０】
更に本発明においては、両遊技装置の１つの始動入賞口が共用される中で、入賞球を内部において振分け手段を介して第１始動開始状態と第２始動開始状態とに振分け、これに基づき第１始動開始状態となったとき、第１種の可変表示装置を起動させ、また第２始動開始状態となったときは第２種の役物入賞装置の取込み口を開放して稼動させることから両遊技装置を個別に起動させることができ、両者を同時に、等しく楽しむことができる。
また、この様に１つの始動入賞口に入る入賞球を振分ける構造とすることから、両遊技装置の始動条件を揃えることができ、また差別化することも可能であり、従って振分けの配分を選択することによって両者の入賞条件、割合を自由に設定することができる利点がある。
【発明を実施するための最良の形態】
【００５１】
次に、本発明に係るパチンコ遊技機の実施の形態を図面に示す実施例に基づき説明することにする。
【実施例１】
【００５２】
図１は、本発明に係るパチンコ遊技機の遊技盤を説明する概略図である。図示するように、遊技盤１は前面部に略円形状にレール２を配置して遊技領域３を形成し、左方の発射球誘導通路４を通して打出される打球をこの遊技領域３の上部に受け入れることになる。
遊技領域３は、目安として示す２本の一点鎖線Ａ，Ｂによって区分する如く内部を上、中、下段の３段に分け、上段領域部分３ａ、中段領域部分３ｂ、下段領域部分３ｃを設定する。そして、中央に位置する上記中段領域部分３ｂの中央部に可変表示装置の画像表示部５を、その右方に役物入賞装置６を配置する。
【００５３】
上段領域部分３ａは、前述のように発射球誘導通路４を通して打出される打球を受け入れる進入部を構成し、ここには中央位置より右方に打球の直進を止める障害壁７を縦に形成し、この障害壁７に前記役物入賞装置６に通じる打球取込み通路８の入口となる取込み口９を開設する。
上記障害壁７の前方、つまり発射球誘導通路４との間の空間領域には打込まれる打球を分散し、振分けるための障害釘１０を多数本適宜植設し、釘列群を形成して前記取込み口９に向けて打出される打球が直接飛込むのを妨害するようにしている。そして、上記取込み口９には後述する開放指示を受けたとき開放し、打球の受け入れを可能にする扉１１を設置し、開放時には支軸１２を支点に上端を左方に倒して打球の受け入れが可能になるようにてある。
【００５４】
前記可変表示装置の画像表示部５は、前記中段領域部分３ｂの中央部の大きな空間を占めている。この画像表示部５は、前述する第１種遊技機（装置）における画像表示部であり液晶表示画面からなっている。これには後述する始動入賞口１３に打球が入賞したとき、図示しない遊技制御装置における大当り抽選回路の作動に伴う抽選の開始状態と、その結果に至る経過等を画像によって表示することになる。
【００５５】
一方、役物入賞装置６は、第２種遊技機（装置）における所謂センター役物に当る入賞装置であり、上記画像表示部５の右方に隣接して設けられる。
この役物入賞装置６は、中空の部屋の内部を後方に向けて傾斜する床１４によって上下２室に区画し、上室６ａには前記打球取込み通路８が連通し、内部にこの通路８を通して送られる入賞球を振り分ける振分装置（図示せず）が設けられる。
【００５６】
上記振分装置には、例えば倒カップ形に形成して前記床１４上に回転自由に設置し、前記通路８を通して送られる入賞球をこのカップ上に落して曲面を使って振分けるもの等が利用される。そして、落下した球を床１４の傾斜を利用して後方に転がし、この床の後部に開口させる落下口（図示せず）から下室６ｂに落し、次にこの下室６ｂの前下りの床１５を転がしてその前縁部に横並びに配置する特別入賞口１６若しくは普通入賞口１７，１７に誘導し、球の振分けを行うことになる。
尚、上記特別入賞口１６は、所謂Ｖゾーンと称される継続入賞口であって、入賞球がこの特別入賞口１６に入賞すると、遊技者にとって有利な再開放状態が得られことになり、また普通入賞口１７に入賞した場合は、単なる入賞球の１つの飛入として１つのカウントを数え、これに応じた賞球を払い出すことになる。
【００５７】
ところで、この実施例では隣接して設けられる前記可変表示装置５と役物入賞装置６とを遊技盤１に対して組付けを容易にするため、１つの構造体１８に組込み、この構造体を遊技盤１に取付ける方法を採用している。
上記構造体１８は、遊技領域３の中段領域部分３ｂに開設する穴（図示せず）に嵌め入れビス止めすることによって固定し、この固定によってその左方に形成される空間を打球通過域１９にしている。
上記打球通過域１９は、前記上段領域部分３ａと前記下段領域部分３ｃとを繋いで上段領域部分３ａに打出される打球を下段領域部分３ｃに落下誘導する通路を形成するものである。
【００５８】
一方、前記下段領域部分３ｃにはその略中央部に前記始動入賞口１３を配置する。その下方に大入賞口２０とアウト球口２１を縦一列に配置形成する。
始動入賞口１３は、ここでは左右に開閉動する翼片を有したチューリップ形入賞装置が使われており、最初の打球が入賞すると翼片が開き、次の打球の入賞が容易になるようにしてある。そして、この入賞口の内部には入賞球を振分ける振分け手段が備えられる。
【００５９】
この実施例における上記振分け手段は、図２，３に示したように始動入賞口１３から延びる通路２２の途中を二股に分岐して２つの分割通路２３，２４とすることによって形成してあり、それぞれの分割通路２３，２４には通過する入賞球を検出するスイッチ２５，２６が臨む。
【００６０】
その一方、上記通路２２には通過する入賞球をカウントし、予め設定するカウント数に達したときシャッタ部材２７を作動して前記一方の分割通路２３を閉じる制御機構２８が設置してある。
この制御機構は、図２及び図３に示したように、上記通路２２の途中に臨み入賞球の通過により回転する爪車２９と、この爪車２９の回転軸に設けられる小歯車３０に大の歯車３１を噛合させて回転するようにした計数用の歯車３２と、上端を軸３３に軸着して吊設する揺動爪３４と、この揺動爪３４の揺動を受けて上端の枢着部３５を支点に左右に振られる連動杆３６から構成してあり、この連動杆３６の揺動により前記シャッタ部材２７を左右に振って前記分割通路２３を開閉することができるようにしてある。
【００６１】
図２は、上記シャッタ部材２７を分割通路２３の入口から後退させ、これを開放した状態を示し、図３は開放状態から閉塞した状態に変化したところを示している。
この制御機構２８は、常時は図２の開放状態におかれ、この状態で始動入賞口１３に打球が入賞すると、球は通路２２を通って爪車２９の１つの爪を送り、垂直な通路部分を通って直下に連通する分割通路２３へと落下する。このとき検出スイッチ２５がこの通過球を検出することになる。
爪車２９は１つの歯を動かすことによって小の歯車３０を介して大の歯車３１を回し、計数歯車３２を回すことになる。そして、この歯車３２の周面に刻設する小の溝３７を１つの歯に合せて１つ送ることになる。
【００６２】
この入賞球の通過によって行われる計数用の歯車３２の回転により順に溝３７が送られ、この送りによって大の溝３８が揺動爪３４の爪３９の位置に達すると、この揺動爪３４はこの溝３８の中に突入して左方に揺動することになる。この揺動に合せてその背後に寄り掛る連動杆３６がばね４０に引かれることによって左方に揺動し、シャッタ部材２７を左に移動させ、その先端を分割通路２３の入口の上方に突き出してこれを閉塞することになる。
【００６３】
図３は、上記分割通路２３を閉塞した状態を示すものである。この状態において、次に入賞球が始動入賞口１３に入賞して爪車２９が回転し、計数用歯車３２が回ると、大の溝３８に突入した爪３９が溝３８の斜面を滑って外れることになり、再び小の溝３７に移ることになる。次に大の溝３８に臨むまでこの小の溝２７の上を次々に渡って揺動爪３４を右方に押し出した状態を維持することになる。この間、連動杆３６は右に振られたまゝになり前記シャッタ部材２７を後退させて前記閉塞状態から開放状態に、つまり図２に示す状態に変わることになる。
【００６４】
ところで、上記検出スイッチ２５は前記可変表示装置を制御する遊技制御回路に接続し、また検出スイッチ２６は前記役物入賞装置の取込み口９を開閉する扉１１を開閉操作する回路に接続して、それぞれ入賞球の通過を検出したとき、それぞれの回路に信号を発信して起動することになる。
このため、シャッタ部材２７が後退し、分割通路２３の入口が開放された状態で始動入賞口１３に打球が入賞すると、この球は通路２２を通過するとき爪車２９の爪を一つ送ると共に、そのまゝ直下の分割通路２３に入ることになる。そして、この球をスイッチ２５が検出して前記可変表示装置の遊技制御回路に信号を発信し、当りの抽選を開始することになる。
上記抽選の結果、「大当り状態」が発生すると、前記大入賞口２０を開放し、予め設定する時間、或は入球数があるまでこの開放状態を継続して入賞球の受入れを行うことになる。
【００６５】
一方、この様な経過が続いた後、始動入賞口１３に入賞した球によって爪車２９が回転して計数用歯車３２が回転し、大の溝３８が揺動爪３４に臨んで前述したようにシャッタ部材２７が分割通路２３の入口を塞ぐと、次に入賞する球はこのシャッタ部材２７の先端に衝突することにより左方の分割通路２４へと流れることになり、この通過を検出スイッチ２６が検出することになる。
上記の結果、前記扉１１の作動回路（図示せず）を通してこの扉を駆動するモータを起動し、閉塞状態から開放状態へと変換して役物入賞装置６への打球の受入れを開始することになる。
【００６６】
役物入賞装置６は、前述したように受入れた球を振分装置によって振分ながら下室６ｂに備える特別入賞口１６、若しくは普通入賞口１７のいずれかに誘導し、それぞれ入賞球としてカウントする。一方、特別入賞室１６に球が入賞すると、前記開放する扉１１が閉塞した後に、再度これを開放することになり、「当り」の状態を継続することになる。
【００６７】
以上、始動入賞口１３に入賞した入賞球の振分けを中心に説明したが、ここに示した振分け構造は、機械的な振分け方式の一例を示したものであり、前記一方の分割通路２３は検出スイッチ２５と共に前記第１始動開始状態を作るものとなる。また、他方の分割通路２４と検出スイッチ２６は第２始動開始状態を作ることになる。そして、ここでは上記二股の分岐点４１が前記シャッタ部材２７と共に振分手段を構成することになる。
【００６８】
尚、ここでは図示しないが、上記機械的な振分手段に代えて前記始動入賞口１３の通路２２に検出スイッチを設置し、通過する入賞球を検出すると共に、この検出信号を振分けの制御回路を通して２つに振分け、その一方の検出信号の発生を通して第１始動開始状態とし、これにより第１種の遊技装置にあたる可変表示装置を起動させ、また他方の検出信号の発生を第２始動開始状態にして役物入賞装置６の取入れ口９を開放するようにすることもできる。
この場合、更に検出信号を交互に振分けて第１始動開始状態と第２始動開始状態とを交互に発生するようにしてもよいが、１対１の比率から前記機械的な振分け方式と同様に比率を変えて１対複数とする設定も可能である。
【００６９】
この比率の差は、第１種遊技装置の可変表示装置を備えて「大当り状態」を予め設定する抽選確率によって電気的に決定し賞球を放出する遊技手段と、入賞球を機械的に振分けて更なる入賞球によって継続状態を作り、入賞の機会を広げるようにした役物入賞装置付きの遊技手段、つまり第２種遊技装置との間には元々両者間に共通する基準がないことから考慮すべきことである。ことに入賞条件に差を生じることとなることから、これをバランスする上からその調整のためにこの比率の差は必要なものとなる。
勿論、この比率の問題は、遊技を興趣あるものにするための選択に委ねられるものであり、設計者において自由に決定されるものであることは言うまでもない。
【００７０】
さて、本発明パチンコ遊技機は、上述のように構成されることから発射装置を介して打出された打球は発射誘導通路４を通して上段領域部分３ａに打込まれ、障害釘１０等に衝突した後取込み口９に入賞しなかったものは構造体１８の傾斜する上面１８ａに沿って打球通過域１９に入り、ここを通過して下段領域部分３ｃに誘導されることになる。
下段領域部分３ｃに達した打球は、釘列４２、その他この領域に植設される釘（図示せず）に衝突する等して任意誘導される中で始動入賞口１３に入賞すると、この球は前述したように通路２２を通り、爪車２９を１駒（１爪分）送って直下に開放する分割通路２３に入り、この通路に臨む検出スイッチ２５によりこの通過が検出されることになる。
【００７１】
上記検出スイッチ２５の検出によって第１始動開始状態に入り、前記第１種遊技の可変表示装置が起動することになる。つまり、可変表示装置の遊技制御回路がＯＮして抽選を開始することになる。この抽選の過程、そして結果は画像表示部５に表示され、抽選の結果「大当り」となった場合、大入賞口２０が開放し、打球の入賞を可能にする。この開放は、一定の時間乃至一定の入賞球があるまで継続されるもので、この間入賞が可能な状態におかれる。
【００７２】
前記始動入賞口１３には引き続き入賞することが可能であって、入賞した球は再び爪車２９を回し、そのまゝ分割通路２３に入ってスイッチ２５によって検出され、再度可変表示装置を起動させることになる。  
この状態が繰返され、揺動爪３４が計数用歯車３２の大の溝３８に入って揺動杆３６が揺動すると、シャッタ部材２７が分割通路２３の入口を閉鎖することになる。この結果、次に始動入賞口１３に打球が入賞すると、この球は左方の分割通路２４に誘導され、検出スイッチ２６に検出されて第２始動開始状態となる。そのため、役物入賞装置６の取込み口９を塞ぐ扉１１を開放動するモータが駆動し、扉１１を開放することになる。
【００７３】
従って、この状態で引続き打球が打出されると、上記扉１１が開放することから打球のいずれかが取込み口９に入賞することになり、他のものは打球通過域１９へと導かれて下段領域部分３ｃへと誘導されることになる。そして、誘導された球は前記始動入賞口１３へ入賞するもの、大入賞口２０が開放する場合はこれに、またこれらに関与しなかったものはそのまゝアウト口２１へと落下することになる。
【実施例２】
【００７４】
次に、図４は本発明に係るパチンコ遊技機の第２の実施例を示すものである。この実施例は、前記実施例１において説明した始動入賞口１３を下段領域部分３ｃから中段領域部分３ｂの打球通過域１９に移し、設置するようにした例である。尚、図面には前記第１の実施例と同一の部所には同一の符号を付し、その説明を省略する。
ここにおける始動入賞口１３は、内部に第１始動開始状態と第２始動開始状態とに振分ける振分け手段を内蔵するもので、この入賞口１３に入賞した入賞球は通路２２を通って振分けられ、可変表示装置若しくは役物入賞装置を起動させることになる。
【００７５】
さて、打球通過域１９に設置された始動入賞口１３は、遊技領域３に打込まれた打球が最も集中するところに位置することになり、これによって最も入賞し易い状態に置かれることになる。従って、ここではこの条件を生かして上方に配置する釘の配置位置を選択することで最も適した入賞率に調整し、設定することになる。
【実施例３】
【００７６】
次に、図５は、本発明のパチンコ遊技機の第３の実施例を示したものである。この実施例も第２実施例と同様に、始動入賞口１３を下段領域部分３ｃ、更には中段領域部分３ｂの打球通過域１９から離れた上段領域部分３ａに移し設置した例である。この実施例においても同一部所については同一の符号を付してその説明を省略する。
【００７７】
この例は、遊技者の狙い打ちを想定してその興趣を高めるようにしたものである。この場合、始動入賞口１３に誘導通路４からの打球が直接飛入することがないように上部周辺には障害の釘列４３等が設けられる。また、ここでは始動入賞口１３を発射誘導通路４の出口に接近して設置したことや、障害釘列４３を配置することから、役物入賞装置６の取込み口９を障害壁７の上部に開口させて打球がこの始動入賞口１３に妨げられ、到達しないと言うようなことがないようにしてある。
【００７８】
以上、本発明のパチンコ遊技機について各実施例につき説明したが、本発明では第１種遊技装置（仕様）の可変表示装置と、第２種遊技装置（仕様）の役物入賞装置とが同一遊技盤内に併設され、しかもそれぞれが独立して作動する関係に置かれることから遊技者は同時に２種の遊技を楽しむことができるものとなる。
ことに、本発明においては、一方の遊技において「大当り状態」に入りったとしても、例えば第１種の可変表示装置において「大当り」が発生し、大入賞口２０が開放した場合でも、引続き打出される打球は、上段領域部分３ａから中段領域部分３ｂの打球通過域１９を通して下段領域部分３ｃに流れる状態が確保され、この間に始動入賞口１３に入賞することも、また大入賞口２０に入賞することも、そして更には取込み口９の扉１１が開放したとき、この取込み口９に打球が入賞することも妨げられないことから、他方の第２種の役物入賞装置６への入賞が可能となり、これによって両者は交互にも、また同時にも作動することができ、遊技者を楽しませることができるものとなる。
【００７９】
また、本発明はそれぞれ独立した第１種及び第２種の遊技装置（仕様）の中で、可変表示装置と役物入賞装置を始動する始動入賞口１３を１個にして共用し、遊技盤面に配置する構造にしたことから、その設置位置が自由になり、これによって遊技盤の設計が自由になる利点がある。
そして、本発明では上記１個の始動入賞口１３の内部に入賞球を前記可変表示装置と役物入賞装置を始動する第１始動開始状態と第２始動開始状態とに振分ける振分け手段を内蔵することにしたことから、両者における始動入賞口に対する入賞条件を同一に揃えることも、また、この振分け手段によって振分け配分比率を自由に設定することもできるので
設計上両装置の始動比率を簡単に変化させることができることになり、異なる機種を容易に製造できる利点がある。
【図面の簡単な説明】
【００８０】
【図１】本発明に係るパチンコ遊技機の第１の実施例における遊技盤の概略正面図。
【図２】始動入賞口内部に備える振分け手段において二股に分かれる両方の分割通路が開放された状態を説明した概略説明図。
【図３】始動入賞口内部に備える振分け手段において二股に分かれる一方の分割通路が閉ざされた状態を説明する概略説明図。
【図４】本発明に係るパチンコ遊技機の第２の実施例における遊技盤の概略正面図。
【図５】本発明に係るパチンコ遊技機の第３の実施例における遊技盤の概略正面図。
【符号の説明】
【００８１】
１          遊技盤
３          遊技領域
３ａ        上段領域部分
３ｂ        中段領域部分
３ｃ        下段領域部分
４          打球誘導通路
５          可変表示装置の画像表示部
６          役物入賞装置
７          障害壁
８          打球誘導通路
９          役物入賞装置への打球の取込み口
１０        障害釘  
１１        取込み扉
１３        始動入賞口
１６        役物入賞装置における特別入賞口
１７        役物入賞装置における普通入賞口
１９        打球通過域
２０        大入賞口
２２        始動入賞口に接続する内部の通路
２３        第１始動開始状態を作る分割通路
２４        第２始動開始状態を作る分割通路        
２５        第１始動開始状態を作る分割通路に設置した検出スイッチ        
２６        第２始動開始状態を作る分割通路に設置した検出スイッチ        
Ａ，Ｂ      遊技領域を上、中、下の３領域部分に区画設定する目安とした表示線
【図１】
2008246020.tif 000003
【図２】
2008246020.tif 000004
【図３】
2008246020.tif 000005
【図４】
2008246020.tif 000006
【図５】
2008246020.tif 000007